(57)【特許請求の範囲】
【請求項１】
撮影空間内の一以上の被写体を撮影手段で撮影する撮影処理と、
前記撮影手段で撮影した撮影画像を表示手段に表示する表示処理と、
該撮影画像を編集手段で編集許容する編集処理と、
所定の画像を出力手段で出力する出力処理とを実行する写真撮影編集方法であって、
前記表示手段は、前記被写体が前記撮影手段から離れて全身またはほぼ全身を撮影する全身撮影の際でも撮影時の位置から十分視認できる程度の大型サイズに形成され、
前記被写体を照明する照明手段が前記表示手段の下方に近接して、かつ、前記表示手段と前記照明手段とを一体化して備えられ、
前記照明手段は、発光する発光体と、該発光体より撮影空間側に配置されて該発光体の光を拡散する拡散板とで構成され、
前記拡散板と前記表示手段の表面とを、同一の平面上またはほぼ同一の平面上に配置され、
前記表示手段の下方位置に配置され該被写体の足元および前記撮影空間の床面を照明する足元照明装置を備え、
該足元照明装置は該撮影空間に中央が凸となる平面視円弧形状に突出し、最大限近づいた前記被写体から前記撮影手段までの距離がアップ撮影に適合する距離となるように構成され、
前記撮影手段による本撮影前のライブビュー撮影画像を前記表示手段で表示し、本撮影時に前記照明手段及び前記足元照明装置により照明して該照明された被写体を前記撮影手段で撮影する
写真撮影編集方法。
【請求項２】
撮影空間内の一以上の被写体を撮影する撮影手段と、
前記撮影手段で撮影した撮影画像を表示する表示手段と、
該撮影画像を編集許容する編集手段と、
所定の画像を出力する出力手段とを備えた写真撮影編集装置であって、
前記表示手段を、前記被写体が前記撮影手段から離れて全身またはほぼ全身を撮影する全身撮影の際でも撮影時の位置から十分視認できる程度の大型サイズに形成し、
前記被写体を照明する照明手段を前記表示手段の下方に近接させて、かつ、前記表示手段と前記照明手段とを一体化して備え、
前記照明手段を、発光する発光体と、該発光体より撮影空間側に配置されて該発光体の光を拡散する拡散板とで構成し、
前記拡散板と前記表示手段の表面とを、同一の平面上またはほぼ同一の平面上に配置すると共に、
前記表示手段の下方位置に配置され該被写体の足元および前記撮影空間の床面を照明する足元照明装置を備え、
該足元照明装置は該撮影空間に中央が凸となる平面視円弧形状に突出し、最大限近づいた前記被写体から前記撮影手段までの距離がアップ撮影に適合する距離となるように構成された
写真撮影編集装置。
【請求項３】
前記発光体を、前記拡散板の平面に対して直角よりも上方へ向けて直接光を照射する向きに配置した
請求項２記載の写真撮影編集装置。
【請求項４】
前記表示手段と前記照明手段との間に、前記照明手段の光を遮る遮光体を備えた
請求項２または３に記載の写真撮影編集装置。
【請求項５】
前記表示手段の上方に前記撮影手段を近接配置した
請求項２から４のいずれか１つに記載の写真撮影編集装置。
【請求項６】
前記撮影手段の上部に上中央照明装置を近接配置した
請求項５に記載の写真撮影編集装置。
【発明の詳細な説明】
【技術分野】
【０００１】
この発明は、例えば被写体を撮影して撮影画像を取得し、この撮影画像に編集許容して編集画像を取得し、この編集画像を写真シール紙に印刷して出力するような写真撮影編集方法およびその装置に関する。
【背景技術】
【０００２】
従来の写真シール機は、娯楽（遊戯）施設等に設置され、被写体であるユーザを撮影し、撮影で得た画像に編集（落書き）を行い、編集が施された編集画像もしくは撮影画像を写真シール紙に印刷するという流れで１ゲームが終了する。  
近年、ユーザは、お気に入りの画像を得るために、撮影に重点をおいて、多種多様な背景画像や前景画像を合成しつつ様々なポーズをとって撮影している。
【０００３】
このように様々なポーズで撮影できる写真シール機として、被写体の上半身や顔を画像いっぱいに撮影できるアップ撮影、および被写体の頭から足先まで撮影できる全身撮影などを行えるものがある。
【０００４】
また、ユーザが撮影に関わる操作（例えば、多種多様な背景画像や前景画像の中から合成して撮影したい画像を選択操作させる）ができるような撮影用モニタが設置されている写真シール機や、カメラの下に被写体の動画像が表示されるライブビューモニタが設置されている写真シール機や、撮影した画像を表示し編集することができるモニタが設置されている写真シール機がある。
【０００５】
このような写真シール機の公知例として、カメラの下に大型のモニタが設置された撮影装置が提案されている（特許文献１参照）。  
また、一人のユーザの顔より小さくカメラと同程度の大きさの小型のモニタがカメラの直下に設置された写真撮影装置も提案されている（特許文献２、３参照）。
【０００６】
しかし、先行技術文献１のような撮影装置は、正面に大型のモニタが存在しているため、カメラに接近してアップ撮影を行う場合に十分な光が被写体に当たらず、撮影画像が暗くなる。このため、先行技術文献１の撮影装置は、ユーザに満足のいく撮影画像を提供することができないという問題点がある。
【０００７】
また、先行技術文献２、３のような写真撮影装置は、被写体の動画像を表示する小型のライブビューモニタがカメラの下に設置されているので、アップ撮影時に十分な光が被写体に当たる。しかし、小型のライブビューモニタは、画像を細部まで確認することが困難である。そして、先行技術文献２、３の写真撮影装置は、撮影操作も行える大型のモニタが、カメラの目線から外れた位置に設置されている。このため、ユーザが撮影画像を詳細に確認しようとすると、首を動かしたり、カメラから目線を大きくそらしたりしなければならない。また、再度撮影操作を行うために、１度撮影した場所から移動して撮影用モニタを操作しなければならず、再度同じ立ち位置で撮影することが困難であるといった問題点がある。このため、先行技術文献２、３のような写真撮影装置は、撮影の操作性にすぐれているとは言えなかった。
【０００８】
【特許文献１】特開２００６−２９２７８９号公報
【特許文献２】特開２００５−１２５４１号公報
【特許文献３】特開２００７−６４９９６号公報
【発明の開示】
【発明が解決しようとする課題】
【０００９】
この発明は、上述した問題点に鑑み、撮影モニタが大型であっても、アップ撮影時に十分な光が得られ、ユーザが満足する見栄えのよい撮影画像が得られる写真撮影編集方法および写真撮影編集装置を提供することを目的とする。
【課題を解決するための手段】
【００１０】
この発明は、撮影空間内の一以上の被写体を撮影手段で撮影する撮影処理と、前記撮影手段で撮影した撮影画像を表示手段に表示する表示処理と、該撮影画像を編集手段で編集許容する編集処理と、所定の画像を出力手段で出力する出力処理とを実行する写真撮影編集方法または写真撮影編集装置であって、前記表示手段は、前記被写体が前記撮影手段から離れて全身またはほぼ全身を撮影する全身撮影の際でも撮影時の位置から十分視認できる程度の大型サイズに形成され、前記被写体を照明する照明手段が前記表示手段の下方に近接して、かつ、前記表示手段と前記照明手段とを一体化して備えられ、前記照明手段は、発光する発光体と、該発光体より撮影空間側に配置されて該発光体の光を拡散する拡散板とで構成され、前記拡散板と前記表示手段の表面とを、同一の平面上またはほぼ同一の平面上に配置され、前記表示手段の下方位置に配置され該被写体の足元および前記撮影空間の床面を照明する足元照明装置を備え、該足元照明装置は該撮影空間に中央が凸となる平面視円弧形状に突出し、最大限近づいた前記被写体から前記撮影手段までの距離がアップ撮影に適合する距離となるように構成され、前記撮影手段による本撮影前のライブビュー撮影画像を前記表示手段で表示し、本撮影時に前記照明手段及び前記足元照明装置により照明して該照明された被写体を前記撮影手段で撮影する写真撮影編集方法または写真撮影編集装置であることを特徴とする。
【００１１】
前記撮影空間は、撮影用に利用者に提供する空間を指し、前記撮影手段で撮影可能な範囲の空間、又は、背景部材や出入り口部材等の周景部材で囲繞（若しくは略囲繞）した空間で構成することができる。
【００１２】
前記撮影手段は、デジタルカメラ又はデジタルビデオカメラで構成することができる。  
前記編集手段は、利用者にタッチペン又は指でタッチされた座標を取得するタッチパネルやマウス等のポインティングデバイス（座標入力手段）で構成することができる。
【００１３】
前記所定の画像は、前記撮影画像、又は該撮影画像を編集手段で編集した編集画像、又は、前記撮影画像又は／及び前記編集画像から選択された複数の画像で構成することができる。
【００１４】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。
【００１５】
前記表示手段は、ＣＲＴディスプレイ、液晶ディスプレイ、又は、画像を投射するプロジェクタや映写機等の投射手段と上記画像を写像（像を写し出す）するスクリーンやカーテンや筐体等の写像手段とを有する投射写像手段で構成することを含み、前記プロジェクタは透過型プロジェクタ又は反射型プロジェクタで構成することができる。  
前記照明手段は、ストロボ発光するストロボ照明装置、又は／及び、蛍光灯や白熱灯等の連続照明装置で構成することができる。
【００１６】
この発明により、撮影モニタが大型であっても、アップ撮影時に十分な光が得られ、ユーザが満足する見栄えのよい撮影画像を得ることができる。
【００１７】
前記表示手段と前記照明手段とを一体化して構成することにより、前記表示手段と前記照明手段とを最大限近接させることができる。従って、アップ撮影するユーザのなるべく顔に近い位置から照明することができ、アップ撮影するユーザの顔をしっかり照明することができる。
【００１８】
また前記照明手段を、発光する発光体と、該発光体より撮影空間側に配置されて該発光体の光を拡散する拡散板とで構成し、前記拡散板と前記表示手段の表面とを、同一の平面上またはほぼ同一の平面上に配置することにより、前記表示手段がタブレット内蔵モニタであるなど入力手段を兼ねる場合でも、照明手段が入力操作を妨げず、ユーザを適切に照明することを実現できる。
【００１９】
また、被写体が撮影手段に近づきにくくなり、被写体が撮影手段に近づきすぎてアップ撮影に適合しないカメラ画角で撮影することを防止できる。従って、適切なカメラ画角で撮影した見栄えのよい撮影画像が得られる。
【００２０】
またこの発明の態様として、前記発光体を、前記拡散板の平面に対して直角よりも上方へ向けて直接光を照射する向きに配置することができる。  
これにより、アップ撮影するユーザの顔をよりよく照明することができる。
【００２１】
またこの発明の態様として、前記表示手段と前記照明手段との間に、前記照明手段の光を遮る遮光体を備えることができる。  
これにより、照明手段の照明が表示手段の表示に影響を与えることを防止でき、表示手段の見易さを向上させることができる。
【００２２】
またこの発明の態様として、前記表示手段の上方に前記撮影手段を近接配置することができる。  
これにより、撮影手段と照明手段との距離を最小限に縮めることができる。従って、撮影手段になるべく近い位置からユーザを照明することができる。  
またこの発明の態様として、前記撮影手段の上部に上中央照明装置を近接配置することができる。  
これにより、上半身や顔を画像いっぱいに撮影できるアップ撮影をする被写体を斜め上から照明し、被写体の鼻筋を際立たせることができる。
【発明の効果】
【００２３】
この発明により、撮影モニタが大型であっても、アップ撮影時に十分な光が得られ、ユーザが満足する見栄えのよい撮影画像を得ることができる。
【発明を実施するための最良の形態】
【００２４】
この発明の一実施形態を以下図面と共に説明する。  
図１は後方から見た写真シール作成機１の斜視図を示す。  
写真シール作成機１は、全体が略直方体形状の全体筐体２内に各装置が設けられている。
【００２５】
全体筐体２内には、前後方向の中央に撮影筐体３が設置され、撮影筐体３の正面側（図１の右奥側）に撮影空間５が設けられている。撮影空間５を挟んで撮影筐体３と対向する壁面には背景カーテン８が設けられている。撮影筐体３の前面から背景カーテン８までの距離は、ユーザが頭から足先まで撮影できる全身撮影をするために十分な長さに設定されている。なお、背景カーテン８は、カーテンに限らず、平状の板で構成するなど、適宜の背景部材で構成できる。
【００２６】
全体筐体２の両側面は、撮影空間５の側方中央に出入り口９が設けられ、該出入り口９以外が平板により囲繞されている。なお、出入り口９には、図示省略するカーテンを吊り下げてもよい。
【００２７】
全体筐体２の左側面（図１の右手前面）で撮影筐体３の側方位置には、事前接客筐体６０が設置されている。この事前接客筐体６０は、モニタ６２と、硬貨処理装置６３とが設けられている。硬貨処理装置６３は、投入口から硬貨の投入を受け付け、真偽判定および係数を行い、必要な釣銭を返却口から返却する。  
なお、事前接客筐体６０は、全体筐体２の左側面に限らず、全体筐体２の右側面に設置してもよい。この事前接客筐体６０は、娯楽施設などにおける写真シール作成機１の設置場所の広さや形状に対応して、適宜の位置に設置することができる。
【００２８】
全体筐体２内の撮影空間５上方位置には、撮影空間５を上から照明する天井照明装置１１ｉが設けられている。  
全体筐体２内の後方側には、撮影筐体３の背面に接続した編集筐体４が設けられている。この編集筐体４は、左右両側の各傾斜面に、１つのタブレット内蔵モニタ４１と２つのタッチペン４５とが、それぞれ設けられている。編集筐体４の背面（図１の左側）には、写真シールシートを排出する排出口４９が設けられている。
【００２９】
全体筐体２内の編集筐体４の左右両横には、編集空間６（６Ａ，６Ｂ）がそれぞれ設けられている。従って、ユーザは編集空間６でタッチペン４５を用いてタブレット内蔵モニタ４１をタッチし、画像編集を行うことができる。
【００３０】
図２は前方から見た撮影筐体３の斜視図を示し、図３は撮影筐体３の縦断右側面図を示し、図４は、表示照明ユニット２３周辺の縦断右側面拡大図を示す。  
撮影筐体３は、正面中央に設けられた表示照明ユニット２３と、この表示照明ユニット２３の上部に近接配置されたカメラ２１と、これらの周囲に配置された複数の照明装置１１（１１ａ〜１１ｉ）とで構成されている。
【００３１】
照明装置１１は、左上に配置された左上照明装置１１ａ、右上に配置された右上照明装置１１ｂ、左横に配置された左照明装置１１ｃ、右横に配置された右照明装置１１ｄ、カメラ２１の上部に近接配置された上中央照明装置１１ｅ、表示照明ユニット２３に設けられた顔照明装置１１ｆ、表示照明ユニット２３の下方位置に配置された下照明装置１１ｇ、下照明装置１１ｇの下方に配置された足元照明装置１１ｈ、および、撮影空間５の天井に配置された天井照明装置１１ｉ（図１参照）で構成されている。
【００３２】
このうち、左上照明装置１１ａ、右上照明装置１１ｂ、左照明装置１１ｃ、右照明装置１１ｄ、および下照明装置１１ｇは、図３の下照明装置１１ｇに示すように、乳白色の半透明素材で略半球状に形成された球面拡散板１４の内側に、ストロボ照明装置１２と、該ストロボ照明装置１２の直接光を近接位置で拡散する乳白色の半透明素材で板状に形成された平面拡散板１３とで構成されている。これらの左上照明装置１１ａ、右上照明装置１１ｂ、左照明装置１１ｃ、右照明装置１１ｄ、および下照明装置１１ｇは、撮影空間５内のユーザを上下左右から面光で全体的に照明する。
【００３３】
上中央照明装置１１ｅは、上半身や顔を画像いっぱいに撮影できるアップ撮影をするユーザを斜め上から照明し、ユーザの鼻筋を際立たせる。  
顔照明装置１１ｆは、アップ撮影するユーザの顔を斜め下から照明し、ユーザの顔が暗く写ることを防止して明るく撮影できるようにする。
【００３４】
足元照明装置１１ｈは、中央が手前へ凸となる平面視円弧形状に形成された曲面拡散板１６（図３参照）の内側に、蛍光灯照明装置１５が配置されて構成されている。この足元照明装置１１ｈは、ユーザの足元および撮影空間５の床面を照明し、全身撮影の際に足元が暗くならないようにする。またこれにより、クロマキー合成の際に足元部分まで良好に処理できるようにする。
【００３５】
足元照明装置１１ｈの曲面拡散板１６の最も突出している部分は、この突出部分に最大限近づいたユーザからカメラ２１までの距離がアップ撮影に適合する距離となるように構成する。これにより、曲面拡散板１６の突出部分によりユーザがカメラ２１に近づきにくくなり、ユーザがカメラ２１に近づきすぎてアップ撮影に適合しないカメラ画角で撮影することを防止できる。従って、適切なカメラ画角で撮影した見栄えのよい撮影画像が得られる。
【００３６】
左照明装置１１ｃおよび右照明装置１１ｄの下方位置には、それぞれ棚が形成されており、この棚の上に荷物置き場７が設けられている。
【００３７】
表示照明ユニット２３は、正面にカバー２４が設けられている。このカバー２４には、表示用穴２５と、照明用穴２６とが上下にこの順で配置されている。  
表示用穴２５は、一般的なユーザの顔よりも大きく、例えば２人のユーザが顔を横並びさせた程度の大きさで横長の長方形に形成されている。  
照明用穴２６は、表示用穴２５と同一の横幅で、上下高さが表示用穴２５よりも十分小さい横長の長方形に形成されている。
【００３８】
表示照明ユニット２３の内側には、タッチパネルモニタ２７と顔照明装置１１ｆが上下にこの順で配置されている。タッチパネルモニタ２７は、画面が表示用穴２５部分に嵌り込むように配置されている。顔照明装置１１ｆは、表面に設けられた平面拡散板１３が照明用穴２６に嵌り込むように配置されている。これにより、タッチパネルモニタ２７の画面と顔照明装置１１ｆの平面拡散板１３が同一平面上に並ぶように配置されている。
【００３９】
タッチパネルモニタ２７と顔照明装置１１ｆの間には、仕切り板２８が設けられている。この仕切り板２８は、顔照明装置１１ｆから照射した光を遮光し、この光がタッチパネルモニタ２７の画像表示の見易さに悪影響を与えることを防止している。
【００４０】
顔照明装置１１ｆは、平面拡散板１３より内側に、光の照射方向を斜め上方へ向けたストロボ照明装置１２が設けられている。このストロボ照明装置１２の光の照射方向は、図４に示すように、傾斜配置されているタッチパネルモニタ２７の画面および平面拡散板１３の平面と直角の方向（法線方向）よりも角度αだけ上方へ向くように構成されている。  
このようにして、表示照明ユニット２３には、タッチパネルモニタ２７と顔照明装置１１ｆが一体化して構成されている。
【００４１】
図５は、写真シール作成機１のブロック図を示す。  
写真シール作成機１は、制御装置７２に接続と、この制御装置７２に接続された複数の装置を備えている。具体的には、撮影部１０、編集部４０、事前接客部６０、記憶部７１、通信部７３、ドライブ７４、ＲＯＭ７６、ＲＡＭ７７、およびプリンタ４７が接続されている。
【００４２】
撮影部１０には、背景カーテン８、照明装置１１、カメラ２１、タッチパネルモニタ２７、およびスピーカ２９が設けられている。
【００４３】
背景カーテン８は、撮影画像の背景となるカーテンであり、クロマキー合成に適した色（例えば緑や青、白など）、あるいは任意の色や模様に構成されている。この背景カーテン８は、複数のロールカーテンで構成されており、制御装置７２の背景制御信号に従って、いずれかのロールカーテンを降下させる。これにより、背景を容易に変更可能にしている。
【００４４】
なお、背景カーテン８は、複数のカーテンにより構成してもよく、１種類のカーテンにより構成してもよい。また、背景カーテン８は、電動または手動による昇降式カーテンとしてもよく、背面に直接張り付けてもよい。カーテンを背面に直接張り付けた場合、合成用の背景画像を複数種類用意して、編集処理においてユーザが所望する背景画像を合成するようにすれば、カーテンの種類が１つしかなくてもユーザの多様な好みに対応することができる。
【００４５】
照明装置１１は、制御装置７２の照明制御信号に従って、ストロボ照明装置１２をストロボ発光させる。この照明制御信号により、どの照明装置１１（１１ａ〜１１ｉ）を発光させるか、発光させる場合はどの程度の明るさで発光させるかが制御される。
【００４６】
カメラ２１は、制御装置７２のシャッタ信号を受け取って本撮影を行い、本撮影で得た静止画像の画像データを制御装置７２に送信する。また、本撮影前に、動画撮影を行って、この動画データを制御装置７２に送信する処理も行う。この動画データを制御装置７２がタッチパネルモニタ２７にリアルタイム表示することで、カメラ２１に写っている状態をユーザが事前確認するライブビュー表示を実現できる。
【００４７】
タッチパネルモニタ２７は、制御装置７２からのＲＧＢ信号に従って撮影画像表示部２７ａに画像を表示し、ユーザのタッチ操作による入力信号を制御装置７２に送信する。撮影画像表示部２７ａに表示する画像には、本撮影前のポーズ確認用のライブビュー画像、および本撮影した撮影画像などが含まれる。また、タッチ操作による入力には、キープ画像の選択やコース選択などの選択入力が含まれる。ここで、キープ画像とは、撮影画像のうち編集をするために残す対象画像（編集対象画像）のことを指す。
【００４８】
スピーカ２９は、撮影タイミングの案内、撮影終了後の編集空間６への移動の案内など、撮影に関する案内と撮影終了に関する案内を行う。
【００４９】
編集部４０は、タブレット内蔵モニタ４１、およびスピーカ４６が設けられている。  
タブレット内蔵モニタ４１は、編集用モニタ４２にタブレット４３が内蔵されている。このタブレット内蔵モニタ４１は、制御装置７２から受信するＲＧＢ信号に従った画像を編集用モニタ４２に表示し、タッチペン４５でタブレット４３にタッチ入力された入力信号（座標信号）を制御装置７２に送信する。
【００５０】
スピーカ４６は、編集残り時間の案内、写真シールシート排出口の案内など、適宜の案内を制御装置７２の音声信号に従って音声出力する。
【００５１】
事前接客部６０は、スピーカ６１、モニタ６２、および硬貨処理部６３が設けられている。  
スピーカ６１は、制御装置７２の音声信号に従って、料金案内などの音声出力を行う。
【００５２】
モニタ６２は、制御装置７２のＲＧＢ信号に従って、料金案内画面や操作案内画面などの画面表示を行う。
【００５３】
硬貨処理部６３は、硬貨の投入を受けて該硬貨の真偽判定および金種判定を行い、プレイに必要な金額の硬貨の投入を検知すると制御装置７２に起動信号を送信する。
【００５４】
記憶部７１は、編集用のアイテム画像情報や背景画像情報、および設定情報などの情報を記憶しており、制御装置７２による情報の読み込みおよび保存を許容する。
【００５５】
通信部７３は、制御装置７２と通信信号を送受信し、インターネット等を介して他装置との通信処理を実行する。
【００５６】
ドライブ７４は、リムーバブルメディア７５の投入を受け付け、このリムーバブルメディア７５に記憶されている情報を制御装置７２に送信する等の処理を実行する。
【００５７】
ＲＯＭ７６は、書き換え不可能なメモリであり各種プログラムなどの情報が記憶されており、制御装置７２によって記憶されている情報が読取られる。
【００５８】
ＲＡＭ７７は、書き換え可能なメモリであり、制御装置７２の制御信号に従って情報の読み込み許容、および情報の書き込み許容を実行する。
【００５９】
プリンタ４７は、２つのヘッド４７ａ，４７ｂを有しており、制御装置７２から受信する印刷データに従って、シール紙ユニット５１にセットされたシール紙５２に印刷を行う。
【００６０】
図６は、写真シール作成機１が１プレイで実行する動作を示すフローチャートである。  
制御装置７２は、必要金額の硬貨が硬貨処理部６３に投入されるまで待機する（ステップＳ１：ＮＯ）。
【００６１】
プレイに必要な金額の硬貨が投入されると（ステップＳ１：ＹＥＳ）、制御装置７２は事前接客部６０のモニタ６２に案内デモ画面を表示する（ステップＳ２）。この案内デモ画面では、写真シール作成機１の遊び方などをガイダンスする。また、この案内デモ画面の表示は、前のユーザが撮影空間５での撮影を終えて編集空間６へ移動するまでの間継続する（ステップＳ３：ＮＯ）。
【００６２】
前のユーザが移動して撮影空間５が空くと（ステップＳ３：ＹＥＳ）、制御装置７２は、モニタ６２に移動案内画面を表示し、順番待ちしていたユーザに撮影空間５へ移動案内する（ステップＳ４）。
【００６３】
制御装置７２は、撮影処理を実行する（ステップＳ５）。この撮影処理では、カメラ２１で撮影しているライブビュー画像を大型のタッチパネルモニタ２７に本撮影まで表示してポーズ確認を許容し、カウントダウンによってタイミングを合わせて照明装置１１で閃光による瞬間照明を実行し、この瞬間照明で照明されているユーザ（被写体）をカメラ２１で本撮影して静止画像の撮影画像を取得する。照明装置１１での瞬間照明は、表示照明ユニット２３に組み込まれている顔照明装置１１ｆも実行するため、ユーザがカメラ２１に近づいてアップ撮影しているときに、この近づいているユーザの顔を顔照明装置１１ｆで十分に明るく照明できる。また、ユーザが全身撮影しようとカメラ２１から離れて背景カーテン８の近くまで下がっていても、タッチパネルモニタ２７が大型であるため、ライブビュー画像をはっきりと視認することができ、ポーズを確認できる。また、このポーズ確認の際、事前にコース選択がされて合成する背景画像が決まっていれば、ライブビュー表示でリアルタイムに合成した合成画像をタッチパネルモニタ２７に表示することで、合成状況を詳細に把握してから本撮影することができる。
【００６４】
制御装置７２は、撮影処理が終了すると、タッチパネルモニタ２７に移動案内画面を表示して移動案内を行う（ステップＳ６）。このとき、制御装置７２は、２つの編集空間６Ａ，６Ｂのうち、空いている方の編集空間６を案内する。
【００６５】
制御装置７２は、指定した編集空間６のタブレット内蔵モニタ４１による編集処理を実行する（ステップＳ７）。この編集処理では、ステップＳ７で取得した撮影画像に、編集用の描画アイテムや背景画像、文字、フリーハンドを用いた編集を許容する。
【００６６】
編集処理が完了すると、制御装置７２は、編集された編集画像をプリンタ４７でシール紙５２に印刷する印刷処理を実行する（ステップＳ８）。この印刷処理では、指定された分割数に編集画像を割り付けて印刷する。
【００６７】
制御装置７２は、事後接客処理を実行する（ステップＳ９）。この事後接客処理では、画像を携帯電話などの携帯端末に送信するゲーム、または画像を投稿できるゲームなど、適宜のミニゲームを実行する。
【００６８】
制御装置７２は、ユーザに排出口４９へ移動案内を行い（ステップＳ１０）、完成した写真シールシートを排出口４９から排出して（ステップＳ１１）、処理を終了する。
【００６９】
以上の構成および動作により、写真シール作成機１は、タッチパネルモニタ２７が大型であっても、アップ撮影時に十分な光が得られる。このため、見栄えのよい撮影画像が得られ、ユーザに満足の行く撮影画像を提供することができる。
【００７０】
詳述すると、図７の右側面説明図に示すように、撮影筐体３に設けられた照明装置１１ａ，１１ｂ（図示省略），１１ｃ，１１ｄ（図示省略），１１ｅ，１１ｇは、上下左右から撮影空間５の中心へ向けて照明光８０ａ，８０ｂ（図示省略），８０ｃ，８０ｄ（図示省略），８０ｅ，８０ｇを照射する。このため、ユーザＭがアップ撮影のためにカメラ２１に最大限近づくと、これらの照明装置１１ａ，１１ｂ，１１ｃ，１１ｄ，１１ｅ，１１ｇの照明光８０ａ，８０ｂ，８０ｃ，８０ｄ，８０ｅ，８０ｇだけでは顔への光が少なくなる。これに対し、近づいたユーザＭの顔へ向けて斜め上方へ照明光８０ｆを照射する顔照明装置１１ｆを設けたため、足元照明装置１１ｈの最大突出部に最大限近づいたユーザＭの顔は、顔照明装置１１ｆから斜め上方へ照射された照明光８０ｆにより十分照明される。
【００７１】
また、ユーザが目線を大きくそらす必要がなく、立ち位置を移動する必要もないため、容易な操作で見栄えのよい撮影画像が得られ、操作性にすぐれた写真シール作成機１を提供することができる。
【００７２】
また、撮影用に大型のタッチパネルモニタ２７を設置することで、全身撮影などアップ撮影以外でカメラから離れた位置からでもユーザが容易に撮影画像を確認できる。よって、アップ撮影や全身撮影のような全ての撮影や撮影操作に対して、遊戯性にすぐれた写真シール作成機１を提供することができる。
【００７３】
また、タッチパネルモニタ２７と顔照明装置１１ｆを最大限近接配置して表示照明ユニット２３として一体化したため、カメラ２１に十分な光が入り、明るい撮影画像を得ることができる。
【００７４】
また、わずかに斜め上向きに傾斜配置されたタッチパネルモニタ２７の画面に対して、顔照明装置１１ｆの照明方向をさらに角度の強い斜め上向きにしたため、カメラ２１に近づいてアップ撮影するユーザの顔を十分に照明することができる。
【００７５】
また、顔照明装置１１ｆの平面拡散板１３がタッチパネルモニタ２７の画面の延長線上にフラットに設置されているため、タッチパネルモニタ２７の下側の操作を顔照明装置１１ｆが妨げず、良好な操作性を確保できる。
【００７６】
また、足元照明装置１１ｈが撮影空間５側へ向かって中央が凸となる構成であるため、ユーザが必要以上にカメラ２１に近づくことを防止できる。これにより、アップ撮影に適合しない画角で撮影されることを防止することができ、良好な撮影画像を安定して得ることができる。
【００７７】
なお、タッチパネルモニタ２７の画面の傾斜角度に対して、顔照明装置１１ｆの平面拡散板１３の傾斜角度をより寝かした角度に構成して、タッチパネルモニタ２７の画面の延長線上よりも平面拡散板１３の下方が撮影空間５側へ突出する構成にしてもよい。この場合も、アップ撮影するユーザの顔を下から良好に照明することができる。
【００７８】
この発明の構成と、上述の実施形態との対応において、
この発明の写真撮影編集装置は、実施形態の写真シール作成機１に対応し、
以下同様に、
照明手段は、顔照明装置１１ｆに対応し、
発光体は、ストロボ照明装置１２に対応し、
拡散板は、平面拡散板１３に対応し、
撮影手段は、カメラ２１に対応し、
表示手段は、タッチパネルモニタ２７に対応し、
遮光体は、仕切り板２８に対応し、
編集手段は、タブレット内蔵モニタ４１に対応し、
出力手段は、プリンタ４７に対応し、
撮影処理は、ステップＳ５に対応し、
表示処理は、ステップＳ５内のライブビュー表示に対応し、
編集処理は、ステップＳ７に対応し、
出力処理は、ステップＳ８に対応し、
所定の画像は、編集画像に対応するも、
この発明は、上述の実施形態の構成のみに限定されるものではなく、多くの実施の形態を得ることができる。
【図面の簡単な説明】
【００７９】
【図１】後方から見た写真シール作成機の斜視図。
【図２】前方から見た撮影筐体の斜視図。
【図３】撮影筐体の縦断右側面図。
【図４】表示照明ユニット周辺の縦断右側面拡大図。
【図５】写真シール作成機のブロック図。
【図６】写真シール作成機の動作を示すフローチャート。
【図７】照明装置の照明方向を示す右側面説明図。
【符号の説明】
【００８０】
１…写真シール作成機、５…撮影空間、１１ｆ…顔照明装置、１２…ストロボ照明装置、１３…平面拡散板、２１…カメラ、２７…タッチパネルモニタ、２８…仕切り板、４１…タブレット内蔵モニタ、４７…プリンタ
【図１】
0005082690.tif 000002
【図２】
0005082690.tif 000003
【図３】
0005082690.tif 000004
【図４】
0005082690.tif 000005
【図５】
0005082690.tif 000006
【図６】
0005082690.tif 000007
【図７】
0005082690.tif 000008